【手続補正書】
【提出日】令和2年9月1日(2020.9.1)
【手続補正１】
【補正対象書類名】特許請求の範囲
【補正対象項目名】全文
【補正方法】変更
【補正の内容】
【特許請求の範囲】
【請求項１】
冷媒を吸入して吐出する圧縮機（１１）と、
前記圧縮機から吐出された前記冷媒を放熱させる放熱器（１２、１６）と、
空気から吸熱して前記冷媒を蒸発させる空調用熱交換器（１６、１８）と、
前記放熱器で放熱された前記冷媒の流れにおいて前記空調用熱交換器と並列に配置されるとともに、電池（８０）との間を循環する熱媒体、または前記電池から吸熱して前記冷媒を蒸発させる電池冷却用熱交換器（１９）と、
前記放熱器から流出した冷媒を前記空調用熱交換器の入口側へ導く空調用通路（１６ａ、１８ａ）の開口面積を調整することによって、前記空調用熱交換器に流入する前記冷媒の減圧量を調整する空調用減圧部（１４ａ、１４ｂ）と、
前記放熱器から流出した冷媒を前記電池冷却用熱交換器の入口側へ導く電池冷却用通路（１９ａ）の開口面積を調整することによって、前記電池冷却用熱交換器に流入する前記冷媒の減圧量を調整する電池用減圧部（１４ｃ）と、
前記電池冷却用熱交換器に流入する冷媒の流量（Ｖ１）を検出する冷媒流量検出部（６０ｆ）と、
前記冷媒流量検出部が検出した前記冷媒の流量が予め定めた基準流量（ＶＯ）を上回るように前記電池用減圧部の作動を制御する制御部（６０）と、
前記電池冷却用熱交換器から流出した前記冷媒の過熱度（ＳＨＣ）を検出する過熱度検出部（６０ｇ）と、を備え、
前記制御部は、
前記冷媒流量検出部が検出した前記冷媒の流量が前記基準流量を上回っている場合には、前記過熱度検出部が検出した前記過熱度が目標過熱度（ＳＨＣＯ）に近づくように前記電池用減圧部の作動を制御するとともに、
前記冷媒流量検出部が検出した前記冷媒の流量が前記基準流量以下の場合には、前記過熱度検出部が検出した前記過熱度が前記目標過熱度を下回っているときであっても、前記電池冷却用通路の開口面積が大きくなるように前記電池用減圧部の作動を制御する冷凍サイクル装置。
【請求項２】
さらに、前記圧縮機へ吸入される吸入冷媒の温度または圧力を検出する吸入冷媒検出部（６４ｆ）を備え、
前記冷媒流量検出部は、
前記吸入冷媒検出部が検出した前記吸入冷媒の温度または圧力、および前記圧縮機の回転数に基づいて、前記圧縮機から吐出された吐出冷媒の流量を算出するとともに、
前記吐出冷媒の流量、および前記電池冷却用通路の開口面積と前記空調用通路の開口面積との開口面積比に基づいて、前記電池冷却用熱交換器に流入する前記冷媒の流量を算出する請求項１に記載の冷凍サイクル装置。
【請求項３】
さらに、前記放熱器（１２）から流出した冷媒と外気とを熱交換させる室外熱交換器（１６）と、
前記放熱器から流出した冷媒と空調対象空間に送風される空気とを熱交換させて、前記冷媒を蒸発させる室内蒸発器（１８）と、
前記放熱器から流出した冷媒を前記室外熱交換器の入口側へ導く第１冷媒通路（１６ａ）と、
前記第１冷媒通路に配置され、前記第１冷媒通路の開口面積を変更可能な第１絞り部（１４ａ）と、
前記室外熱交換器から流出した冷媒を前記圧縮機の吸入側へ導く第２冷媒通路（２２ｂ）と、
前記第２冷媒通路に配置され、前記第２冷媒通路を開閉する第２冷媒通路開閉部（１５ｂ）と、
前記室外熱交換器から流出した冷媒を前記室内蒸発器を介して前記圧縮機の吸入側へ導く第３冷媒通路（１８ａ）と、
前記第３冷媒通路における前記室外熱交換器と前記室内蒸発器との間に配置され、前記第３冷媒通路の開口面積を変更可能な第２絞り部（１４ｂ）と、
前記放熱器と前記第１絞り部との間を流れる冷媒を前記第３冷媒通路における前記室外熱交換器と前記第２絞り部との間へ導くバイパス通路（２２ａ）と、
前記バイパス通路に配置され、前記バイパス通路を開閉するバイパス開閉部（１５ａ）と、を備え、
前記電池冷却用通路は、前記室外熱交換器と前記第２絞り部との間を流れる冷媒を前記電池冷却用熱交換器を介して前記第３冷媒通路における前記室内蒸発器と前記圧縮機の吸入側との間へ導き、
前記電池用減圧部は、前記電池冷却用通路における前記電池冷却用熱交換器の入口側に配置されるとともに、前記電池冷却用通路の開口面積を変更可能であり、
前記制御部は、前記放熱器および前記室外熱交換器のうち少なくとも一方で前記冷媒が放熱し、前記電池冷却用熱交換器で前記冷媒が蒸発するとともに、前記室内蒸発器および前記室外熱交換器のうち少なくとも一方で前記冷媒が蒸発するように前記第１絞り部、前記第２絞り部、前記電池用減圧部、前記第２冷媒通路開閉部および前記バイパス開閉部を制御する並列蒸発モードにおいて、前記冷媒流量検出部が検出した前記冷媒の流量が前記基準流量を上回るように前記電池用減圧部の作動を制御し、
前記空調用熱交換器は、前記室外熱交換器および前記室内蒸発器を含み
前記空調用通路は、前記第１冷媒通路および前記第３冷媒通路を含み、
前記空調用減圧部は、前記第１絞り部および前記第２絞り部を含む請求項１または２に記載の冷凍サイクル装置。
【請求項４】
前記並列蒸発モードは、前記放熱器および前記室外熱交換器で前記冷媒が放熱し、前記室内蒸発器および前記電池冷却用熱交換器で前記冷媒が蒸発する冷房＋電池冷却モードを含む請求項３に記載の冷凍サイクル装置。
【請求項５】
前記並列蒸発モードは、前記放熱器で前記冷媒が放熱し、前記室外熱交換器で前記冷媒が放熱または蒸発し、前記室外熱交換器から流出した前記冷媒が前記室内蒸発器および前記電池冷却用熱交換器で蒸発する直列除湿暖房＋電池冷却モードを含む請求項３に記載の冷凍サイクル装置。
【請求項６】
前記並列蒸発モードは、前記放熱器で前記冷媒が放熱し、前記室外熱交換器、前記室内蒸発器および前記電池冷却用熱交換器で前記冷媒が蒸発する並列除湿暖房＋電池冷却モードを含む請求項３に記載の冷凍サイクル装置。
【請求項７】
前記並列蒸発モードは、前記放熱器で前記冷媒が放熱し、前記室外熱交換器および前記電池冷却用熱交換器で前記冷媒が蒸発し、前記室内蒸発器に冷媒が流れない暖房＋並列電池冷却モードを含む請求項３に記載の冷凍サイクル装置。
【手続補正２】
【補正対象書類名】明細書
【補正対象項目名】００１１
【補正方法】変更
【補正の内容】
【００１１】
上記目的を達成するため、請求項１に記載の発明では、
冷媒を吸入して吐出する圧縮機（１１）と、
圧縮機から吐出された冷媒を放熱させる放熱器（１２、１６）と、
空気から吸熱して冷媒を蒸発させる空調用熱交換器（１６、１８）と、
放熱器で放熱された冷媒の流れにおいて空調用熱交換器と並列に配置されるとともに、電池（８０）との間を循環する熱媒体、または電池から吸熱して冷媒を蒸発させる電池冷却用熱交換器（１９）と、
放熱器から流出した冷媒を空調用熱交換器の入口側へ導く空調用通路（１６ａ、１８ａ）の開口面積を調整することによって、空調用熱交換器に流入する冷媒の減圧量を調整する空調用減圧部（１４ａ、１４ｂ）と、
放熱器から流出した冷媒を電池冷却用熱交換器の入口側へ導く電池冷却用通路（１９ａ）の開口面積を調整することによって、電池冷却用熱交換器に流入する冷媒の減圧量を調整する電池用減圧部（１４ｃ）と、
電池冷却用熱交換器に流入する冷媒の流量（Ｖ１）を検出する冷媒流量検出部（６０ｆ）と、
冷媒流量検出部が検出した冷媒の流量が予め定めた基準流量（ＶＯ）を上回るように電池用減圧部の作動を制御する制御部（６０）と、
電池冷却用熱交換器から流出した冷媒の過熱度（ＳＨＣ）を検出する過熱度検出部（６０ｇ）と、を備え、
制御部は、
冷媒流量検出部が検出した冷媒の流量が基準流量を上回っている場合には、過熱度検出部が検出した過熱度が目標過熱度（ＳＨＣＯ）に近づくように電池用減圧部の作動を制御するとともに、
冷媒流量検出部が検出した冷媒の流量が基準流量以下の場合には、過熱度検出部が検出した過熱度が目標過熱度を下回っているときであっても、電池冷却用通路の開口面積が大きくなるように電池用減圧部の作動を制御する。